(57)【要約】【課題】構成簡素で、量産に適し、低廉で、コンパクトで、紛失し難く、取扱い易く、誰でも簡単に利用でき、表示盤の任意の位置で回転指示具を水平回転させられ、数字を指し示す確率が数字毎に異なるようにでき、より意図的な位置で回転せしめる楽しみ方も可能で、より興趣に富んだゲーム用回転指示装置を提供する。【解決手段】ボードゲームやルーレット等を楽しむ際に使用するゲーム用回転指示装置であって、表示盤Ｂと、表示盤Ｂの上面で水平回転させる略細長状の回転指示具Ａとからなり、表示盤Ｂの上面の外周縁部分には、複数の適宜数字５を表示し、回転指示具Ａは、その指示具本体１の一端に平面略三角状の指示部３を形成し、表示盤Ｂの略中央部分で回転指示具Ａを水平回転せしめると、その回転停止時に指示部３が表示盤Ｂの数字５を選択的に指し示せるように構成する。【選択図】図１
0003129653.tif 000002
【実用新案登録請求の範囲】
【請求項１】
ボードゲームやルーレット等を楽しむ際に使用されるゲーム用回転指示装置であって、表示盤と、この表示盤の上面で水平回転せしめられる略細長状の回転指示具とからなり、表示盤の上面の外周縁部分には、複数の適宜数字が表示され、回転指示具は、その指示具本体の一端に平面略三角状の指示部が形成され、表示盤の略中央部分で回転指示具を水平回転せしめると、その回転停止時に指示部が表示盤の数字を選択的に指し示せるように構成したことを特徴とするゲーム用回転指示装置。
【請求項２】
前記指示具本体の底面は、長手方向に於いてその中央部分が下方に突出するような湾曲面状に形成されると共に、長手方向に直交する幅方向に於いてその略中央部分が下方に突出するような左右非対称な湾曲面状に形成され、指示具本体は、所定向きに水平回転せしめられた時に、回転状態からしばらくすると上下振動状態が生じ、その後回転が停止して上下振動状態から徐々に逆水平回転し始め、逆水平回転状態から停止するように構成したことを特徴とする請求項１記載のゲーム用回転指示装置。
【請求項３】
各種パーティーで使用されるゲーム用回転指示装置であって、テーブル等の上面で水平回転可能な略細長状の指示具本体を形成し、この指示具本体の一端に平面略三角状の指示部が形成され、テーブル等の上面で指示具本体を水平回転せしめると、その回転停止時に指示部がテーブル等を囲んだ参加者を選択的に指し示せるように構成し、指示具本体の底面は、長手方向に於いてその中央部分が下方に突出するような湾曲面状に形成されると共に、長手方向に直交する幅方向に於いてその略中央部分が下方に突出するような左右非対称な湾曲面状に形成され、指示具本体は、所定向きに水平回転せしめられた時に、回転状態からしばらくすると上下振動状態が生じ、その後回転が停止して上下振動状態から徐々に逆水平回転し始め、逆水平回転状態から停止するように構成したことを特徴とするゲーム用回転指示装置。
【請求項４】
前記指示具本体の上面中央に略丸棒状の摘み部を設けたことを特徴とする請求項１または請求項２または請求項３記載のゲーム用回転指示装置。
【考案の詳細な説明】
【技術分野】
【０００１】
本考案は、例えば、ボードゲームやルーレット等を楽しむ際に使用したり、或いは、各種パーティー等で使用して楽しめるようにしたゲーム用回転指示装置に係り、ボードゲームやルーレット等を楽しむ際には、指示具本体を表示盤の上面で水平回転せしめて、表示盤上の数字を選択的に指し示すようにし、各種パーティー等で使用して楽しむ際には、指示具本体をテーブル等の上面で水平回転せしめて、テーブル等を囲んだ参加者を選択的に指し示すようにしたゲーム用回転指示装置に関するものである。
【背景技術】
【０００２】
従来、ボードゲームを楽しむ場合は、例えば、特許文献１に示すような遊技機を利用して、その出目等によってボードゲームを進行させるようにしたり、また、ルーレットを楽しむ場合は、例えば、特許文献２に示すようなゲーム装置を利用して、回転ゲーム盤の仕切部位に於けるボールの停止位置の出目によってゲームを進行させるようにしている。
更に、各種パーティー等にあっては、例えば、適宜クジ等を利用して参加者の中から当選者を選出し、この当選者等が適宜イベントを実施してパーティーの雰囲気を盛り上げるようにして楽しんでいる。
【０００３】
【特許文献１】特開平８−２２９２３４号公報
【特許文献２】実開平５−５６１７８号公報
【考案の開示】
【考案が解決しようとする課題】
【０００４】
ところが、前述のような遊技機やゲーム装置にあっては、その構造が複雑となる難点があった。また、適宜クジ等は、嵩張る難点や、紛失し易い難点や、或いは、人数が増えたり、人数の変更があったりすると、対応し難い等の難点があった。
そこで、本考案は、これらの難点等を解消できるようにするのは勿論のこと、簡素な構成で、取扱い易く、ゲームやパーティー等をより盛り上げられるような興趣に富むゲーム用回転指示装置を提供すべく案出されたものである。
【課題を解決するための手段】
【０００５】
しかして、前述の如き課題を達成すべく請求項１記載のゲーム用回転指示装置にあっては、ボードゲームやルーレット等を楽しむ際に使用されるゲーム用回転指示装置であって、表示盤Ｂと、この表示盤Ｂの上面で水平回転せしめられる略細長状の回転指示具Ａとからなり、表示盤Ｂの上面の外周縁部分には、複数の適宜数字５が表示され、回転指示具Ａは、その指示具本体１の一端に平面略三角状の指示部３が形成され、表示盤Ｂの略中央部分で回転指示具Ａを水平回転せしめると、その回転停止時に指示部３が表示盤Ｂの数字５を選択的に指し示せるように構成する手段を採用した。
【０００６】
また、請求項２記載のゲーム用回転指示装置にあっては、前記指示具本体１の底面は、長手方向に於いてその中央部分が下方に突出するような湾曲面状に形成されると共に、長手方向に直交する幅方向に於いてその略中央部分が下方に突出するような左右非対称な湾曲面状に形成され、指示具本体１は、所定向きに水平回転せしめられた時に、回転状態からしばらくすると上下振動状態が生じ、その後回転が停止して上下振動状態から徐々に逆水平回転し始め、逆水平回転状態から停止するように構成する手段を採用した。
【０００７】
更に、請求項３記載のゲーム用回転指示装置にあっては、各種パーティーで使用されるゲーム用回転指示装置であって、テーブル等の上面で水平回転可能な略細長状の指示具本体１を形成し、この指示具本体１の一端に平面略三角状の指示部３が形成され、テーブル等の上面で指示具本体１を水平回転せしめると、その回転停止時に指示部３がテーブル等を囲んだ参加者を選択的に指し示せるように構成し、指示具本体１の底面は、長手方向に於いてその中央部分が下方に突出するような湾曲面状に形成されると共に、長手方向に直交する幅方向に於いてその略中央部分が下方に突出するような左右非対称な湾曲面状に形成され、指示具本体１は、所定向きに水平回転せしめられた時に、回転状態からしばらくすると上下振動状態が生じ、その後回転が停止して上下振動状態から徐々に逆水平回転し始め、逆水平回転状態から停止するように構成する手段を採用した。
【０００８】
そして、請求項４記載のゲーム用回転指示装置にあっては、前記指示具本体１の上面中央に略丸棒状の摘み部２を設ける手段を採用した。
【考案の効果】
【０００９】
従って、請求項１のゲーム用回転指示装置によれば、その構成が簡素となり、製造が簡単で、量産に適し、低廉に提供できるものとなる。しかも、嵩張ることなくコンパクトとなり、紛失し難く、取扱い易く、誰でも簡単に利用できるものとなる。
特に、表示盤Ｂの上面の任意の位置（表示盤Ｂの中心に限らず）で回転指示具Ａを水平回転せしめることができ、表示盤Ｂの上面の外周縁部分に表示した数字５を指し示す確率が数字５毎に異なるようになり、より意図的な位置で回転せしめるような楽しみ方も可能となり、より興趣に富んだゲーム用回転指示装置となる。
加えて、表示盤Ｂの上面から外れないように、限られた表示盤Ｂの上面で回転指示具Ａを水平回転させなければならず、テクニックも必要となり、より興趣に富むものとなる。
【００１０】
また、請求項２のゲーム用回転指示装置によれば、表示盤Ｂの上面で指示具本体１を所定向きに水平回転せしめた時に、一旦回転が停止した後に逆水平回転してから停止するようになり、意外性を発揮できるようになると共に、ゲーム参加者が指示部３で指し示される数字５を予測し難くなり、より興趣に富むものとなる。
【００１１】
更に、請求項３のゲーム用回転指示装置によれば、その構成がより簡素となり、製造が簡単で、量産に適し、低廉に提供できるものとなる。しかも、嵩張ることなくコンパクトとなり、持ち運びが簡単で、取扱い易く、誰でも手軽に利用できるものとなる。
特に、テーブル等の上面で指示具本体１を水平回転せしめることができ、テーブル等を囲んだ参加者を直接的に指示部３が指し示すようになり、より興趣に富んだゲーム用回転指示装置となる。
加えて、テーブル等の上面で指示具本体１を所定向きに水平回転せしめた時に、一旦回転が停止した後に逆水平回転してから停止するようになり、意外性を発揮できるようになると共に、ゲーム参加者が指示部３で指し示される参加者を予測し難くなり、より興趣に富むものとなる。
【００１２】
そして、請求項４のゲーム用回転指示装置によれば、摘み部２を手指で摘んで指示具本体１を水平回転させ易くなる。
【考案を実施するための最良の形態】
【００１３】
以下、本考案を図示例に基づいて説明すると、次の通りである。
先ず、ボードゲームやルーレット等を楽しむ際に使用されるゲーム用回転指示装置は、表示盤Ｂと、この表示盤Ｂの上面で水平回転せしめられる略細長状の回転指示具Ａとからなる。
そして、表示盤Ｂの上面の外周縁部分には、複数の適宜数字５が表示され、一方、回転指示具Ａは、その指示具本体１の一端に平面略三角状の指示部３が形成され、表示盤Ｂの略中央部分で回転指示具Ａを水平回転せしめると、その回転停止時に指示部３が表示盤Ｂの数字５を選択的に指し示せるように構成されている。
加えて、前記指示具本体１（回転指示具Ａ）の底面は、長手方向に於いてその中央部分が下方に突出するような湾曲面状に形成されると共に、長手方向に直交する幅方向に於いてその略中央部分が下方に突出するような左右非対称な湾曲面状に形成され、指示具本体１（回転指示具Ａ）は、所定向きに水平回転せしめられた時に、回転状態からしばらくすると上下振動状態が生じ、その後回転が停止して上下振動状態から徐々に逆水平回転し始め、逆水平回転状態から停止するように構成されている。
また、各種パーティーで使用されるゲーム用回転指示装置は、テーブル等の上面で水平回転可能な略細長状の指示具本体１（回転指示具Ａ）を形成する。そして、この指示具本体１（回転指示具Ａ）の一端に平面略三角状の指示部３を形成し、テーブル等の上面で指示具本体１（回転指示具Ａ）を水平回転せしめると、その回転停止時に指示部３がテーブル等を囲んだ参加者を選択的に指し示せるように構成されている。
しかも、指示具本体１（回転指示具Ａ）の底面は、長手方向に於いてその中央部分が下方に突出するような湾曲面状に形成されると共に、長手方向に直交する幅方向に於いてその略中央部分が下方に突出するような左右非対称な湾曲面状に形成され、指示具本体１は、所定向きに水平回転せしめられた時に、回転状態からしばらくすると上下振動状態が生じ、その後回転が停止して上下振動状態から徐々に逆水平回転し始め、逆水平回転状態から停止するように構成されている。
それから、前記指示具本体１（回転指示具Ａ）の上面中央には、略丸棒状の摘み部２を設けて、指示具本体１（回転指示具Ａ）を手指によって水平回転させ易く構成されている。
【実施例】
【００１４】
前記回転指示具Ａは、例えば、略細長杆状に形成される指示具本体１と、この指示具本体１の上面の中央部分に付設される略丸棒状の摘み部２とで構成されている。
尚、回転指示具Ａは指示具本体１部分だけで構成するようにしても良い。
【００１５】
前記指示具本体１は、例えば、透明な適宜合成樹脂材等によって一体的に成形されており、上面が平坦状で、左右側面が略平行となり、一端部分が平面略三角状で指示部３となっており、他端部分が平面略円弧状となるように形成されている。
しかも、その底面部分は、長手方向に於いてその中央部分が下方に突出するような湾曲面状に形成されると共に、一端部部分及び他端部分に行くに従って漸次その厚みが薄くなるように形成され、また、長手方向に直交する幅方向に於いてその略中央部分が下方に突出するような左右非対称な湾曲面状に形成されている。すなわち、指示具本体１は、所定向きに水平回転せしめられた時に、回転状態からしばらくすると上下振動状態が生じ、その後回転が停止して上下振動状態から徐々に逆水平回転し始め、逆水平回転状態から停止するように構成されている（所謂ラトルバック機能を備えた構成となっている。）。
尚、指示具本体１は、合成樹脂材以外の材料によって形成しても良いし、透明でなくても良い。また、その上面には、適宜宣伝広告やキャラクター等を描いた表示部４を設けるようにしても良い。ところで、指示具本体１を透明とした場合は、指示具本体１が数字５の上に被さるように停止したときでも、指示具本体１の下の数字５を容易に視認できるようになる。
【００１６】
前記摘み部２は、例えば、透明な適宜合成樹脂材等によって成形されており、指示具本体１の上面中央部分に設けた凹部に固着できるように形成されている。尚、摘み部２は指示具本体１と一体的に形成しても良い。
【００１７】
前記指示部３は、例えば、平面略三角状に形成されており、指示具本体１が指示した数字５や参加者が判り易くなるように形成されている。
【００１８】
前記表示盤Ｂは、例えば、適宜合成樹脂材によって上面が滑らかな略円板状に形成され、その上面の外周縁部分には、複数の数字５が外周縁に沿うように表示されている。
尚、表示盤Ｂは、その上面が平坦に形成されたものでも良いし、或いは、平面中央部分が僅かに盛り上がるような緩やかな湾曲面状態にその上面を形成しても良い。すなわち、指示具本体１の底面との接触部分を極力少なくして、指示具本体１がよりスムーズに水平回転できるように形成できる。また、表示盤Ｂの上面を滑らかにすることでも指示具本体１がよりスムーズに水平回転できるようになる。
【００１９】
前記数字５は、例えば、順番に表示盤Ｂの外周縁に沿って表示しても良いし、或いは、ランダムに表示しても良い。また、数字５自体は、適宜マークや文字等に置き換えるようにしたり、或いは適宜組合わせるようにしても良い。
【００２０】
ところで、ゲーム用回転指示装置の具体的構成、形状、寸法、材質、回転指示具Ａの具体的構成、形状、寸法、材質、表示盤Ｂの具体的構成、形状、寸法、材質、指示具本体１の具体的構成、形状、寸法、材質、摘み部２の具体的構成、形状、寸法、材質、指示部３の具体的構成、形状、寸法、表示部４の具体的構成、形状、寸法、配設位置、数字５の具体的構成、形状、寸法、数、配設位置等は、図示例のもの等に限定されることなく適宜自由に設定、変更できるものである。
【００２１】
本考案のゲーム用回転指示装置は、前述の如く構成されている。そして、このゲーム用回転指示装置でボードゲームやルーレット等を楽しむ際には、先ず、表示盤Ｂをテーブル等の上に置き、この表示盤Ｂの上面の任意の位置で回転指示具Ａを所定向きに水平回転させる。すると、回転指示具Ａは、所定向きに水平回転し、この回転状態からしばらくすると上下振動状態が生じ、その後回転が停止すると共に上下振動状態から徐々に逆水平回転し始め、逆水平回転状態から停止して、指示部３が任意の数字５を指し示す。そして、この指し示された数字５によってゲームが進行される。
また、このゲーム用回転指示装置を各種パーティーで使用する際には、先ず、テーブル等の回りを参加者が囲み、テーブルの上で指示具本体１（回転指示具Ａ）を所定向きに水平回転させる。すると、指示具本体１（回転指示具Ａ）は、所定向きに水平回転し、この回転状態からしばらくすると上下振動状態が生じ、その後回転が停止すると共に上下振動状態から徐々に逆水平回転し始め、逆水平回転状態から停止して、指示部３が任意の参加者を指し示す。そして、この指し示された参加者によってゲーム等（例えば、罰ゲーム等）が行われる。
【図面の簡単な説明】
【００２２】
【図１】本考案を例示する斜視図である。
【図２】本考案を例示する正面図である。
【図３】本考案を例示する一部切欠側面図である。
【符号の説明】
【００２３】
Ａ      回転指示具
１      指示具本体
２      摘み部
３      指示部
４      表示部
Ｂ      表示盤
５      数字
【図１】
0003129653.tif 000003
【図２】
0003129653.tif 000004
【図３】
0003129653.tif 000005